(57)【要約】【課題】記録シートの印字位置に対応したレーザ光の照射エネルギーに関する情報（印字情報）がなければ適正な印字が行えないようにした、偽造や改ざん防止効果に優れたレーザマーキング用記録シートとその使用方法を提供すること。【解決手段】シート基材４０の表面に下部記録層３０、上部記録層２０、被覆層１０を順次重ねて印刷し、下部記録層３０は、表面に露呈した際に文字や記号などの印字を形成する黒インキ層３１と白インキ層３２とで構成されており、これらが交互平行にシート基材４０の表面に印刷されている。上部記録層２０は、前記黒インキ層３１の上に、それよりはやや狭幅の白インキ層２２を黒インキ層３１の幅方向の端部を覆わないようにして重ねると共に、それらの間に黒インキ層２１を重ねて印刷した。印字はレーザ光により、黒インキ層２１または黒インキ層３１を選択的に露呈させて行う。【選択図】　　　図１
2004090451.tif 000002
【特許請求の範囲】
【請求項１】
シート基材と、
このシート基材の片面に重ね合わせて設けられ、印字色部と背景色部とに色分けされた下部記録層と、
この下部記録層に重ね合わせて設けられ、前記下部記録層の背景色部を少なくとも完全に覆う印字色部とこの印字色部に隣接する背景色部とに色分けされた上部記録層と、
この上部記録層を覆う被覆層と、を備えたことを特徴とする、レーザマーキング用記録シート。
【請求項２】
前記印字色部に黒インキ、前記背景色部に白インキを用いた請求項１に記載のレーザマーキング用記録シート。
【請求項３】
前記記録層および被覆層は、印刷方式、熱転写方式、電子写真方式、インクジェット方式、塗装方式、貼り合わせ方式などから選択される少なくとも一つの方式により形成された請求項１または２に記載のレーザマーキング用記録シート。
【請求項４】
前記シート基材の非印字面に、粘着層と、その粘着層の表面を被覆する剥離台紙と、を備えた請求項１から３のいずれかに記載のレーザマーキング用記録シート。
【請求項５】
印字開始位置を制御する印字ピッチ検出マーク、記録シートの印字位置に対応したレーザ光の照射エネルギーに関する情報を入力したバーコードや二次元コードなどの各種記号が設けられた請求項１から４のいずれかに記載のレーザマーキング用記録シート。
【請求項６】
前記シート基材、上部記録層、下部記録層の各層間のいずれかあるいは全てに、アルミニウムの蒸着による隠蔽層を設けられた請求項１から５のいずれかに記載のレーザマーキング用記録シート。
【請求項７】
シート基材と、
このシート基材の片面に重ね合わせて設けられ、印字色部と背景色部とに色分けされた下部記録層と、
この下部記録層に重ね合わせて設けられ、前記下部記録層の背景色部を少なくとも完全に覆う印字色部とこの印字色部に隣接する背景色部とに色分けされた上部記録層と、
この上部記録層を覆う被覆層と、を備え、
レーザ光を照射して印字位置に設けられた前記上部記録層と下部記録層から印字色部を選択的に露呈させ、文字、記号、絵などの印字を形成することを特徴とする、レーザマーキング用記録シートの使用方法。
【発明の詳細な説明】
【０００１】
【発明の属する技術分野】
本発明は、レーザマーキング用記録シートおよびその使用方法に関し、特に追記による記録内容の改ざん防止効果に優れたレーザマーキング用記録シートおよびその使用方法に関する。
【０００２】
【従来の技術】
基材表面にベタ印刷によるインキ層を設けた記録シートの表面にレーザ光を照射して表面のインキ層を除去し、露呈した下地の基材表面と背景のインキ層との色相の差を利用して、文字や記号などを表示するレーザマーキング法が知られている（例えば特開平１１−７０７３４号公報）。
【０００３】
上記レーザマーキング法による印字の特徴のひとつは、記録シート表面のインキ層を除去して得られた凹部により印字が形成されているために、印字自体を消去することはできないということである。この場合、印字周辺のインキ層を除去したり、印字の上にベタ印刷と同色のインキで印刷を行って印字内容が判別できなくなるようにすることは可能であるが、いずれにおいても記録シートの表面には印字の消去に伴う痕跡が残る。そこで、このような特徴を生かしたレーザマーキング法による書類の偽造や改ざん防止が検討されている。
【０００４】
【発明が解決しようとする課題】
しかしながら、上記のような記録シートの場合は完成された書類に対する追記が簡単に行え、しかも書類に最初から印字されていた文字や記号などと追記による文字や記号などとの判別は困難なため、追記に対する偽造や改ざん防止効果が小さいという問題がある。
【０００５】
本発明はこのような状況に鑑みてなされたものであり、すなわち本発明は、記録シートの印字位置に対応したレーザ光の照射エネルギーに関する情報がなければ適正な印字が行えないようにすることで、偽造や改ざんの防止に優れた効果を奏するようにしたレーザマーキング用記録シートとその使用方法の提供を目的とする。
【０００６】
【課題を解決するための手段】
本発明は前述の技術的課題を解決するために、以下のように構成されている。すなわち請求項１の発明は、シート基材と、このシート基材の片面に重ね合わせて設けられ、印字色部と背景色部とに色分けされた下部記録層と、この下部記録層に重ね合わせて設けられ、前記下部記録層の背景色部を少なくとも完全に覆う印字色部とこの印字色部に隣接する背景色部とに色分けされた上部記録層と、この上部記録層を覆う被覆層と、を積層してレーザマーキング用記録シートとした。
【０００７】
また、請求項２の発明は、請求項１に係る発明において、前記印字色部に黒インキ、前記背景色部に白インキを用いてレーザマーキング用記録シートとした。
【０００８】
また、請求項３の発明は、請求項１または２に係る発明において、前記記録層および被覆層を印刷方式、熱転写方式、電子写真方式、インクジェット方式、塗装方式、貼り合わせ方式などから選択される少なくとも一つの方式により形成してレーザマーキング用記録シートとした。
【０００９】
また、請求項４の発明は、請求項１から３のいずれかに係る発明において、前記シート基材の非印字面に、粘着層と、その粘着層の表面を被覆する剥離台紙と、を施してレーザマーキング用記録シートとした。
【００１０】
また、請求項５の発明は、請求項１から４のいずれかに係る発明において、印字開始位置を制御する印字ピッチ検出マーク、記録シートの印字位置に対応したレーザ光の照射エネルギーに関する情報を入力したバーコードや二次元コードなどの各種記号を設けてレーザマーキング用記録シートとした。
【００１１】
また、請求項６の発明は、請求項１から５のいずれかに係る発明において、前記シート基材、上部記録層、下部記録層の各層間のいずれかあるいは全てに、アルミニウムの蒸着による隠蔽層を設けてレーザマーキング用記録シートとした。
【００１２】
また、請求項７の発明は、シート基材と、このシート基材の片面に重ね合わせて設けられ、印字色部と背景色部とに色分けされた下部記録層と、この下部記録層に重ね合わせて設けられ、前記下部記録層の背景色部を少なくとも完全に覆う印字色部とこの印字色部に隣接する背景色部とに色分けされた上部記録層と、この上部記録層を覆う被覆層と、を備え、レーザ光を照射して印字位置に設けられた前記上部記録層と下部記録層から印字色部を選択的に露呈させ、文字、記号、絵などの印字を形成するようにしたレーザマーキング用記録シートの使用方法である。
【００１３】
【発明の実施の形態】
次に、本発明に係るレーザマーキング用記録シートの実施の形態について、図１から図９を参照しながら説明する。ただし、以下の説明はあくまでも本発明の例示にすぎず、以下の記載によって発明の技術的範囲が限定されるものではない。
【００１４】
図１はレーザマーキング用記録シート（以下、記録シートと称す）１の構成を示す分解斜視図、図２はその横断面図、図３は粘着加工して剥離台紙３に仮着し、ロール状に形成した状態を示す斜視図、図４は本発明の方法により黒インキ層２１、３１が露呈するようにレーザ照射を行った場合の平面図、図５はそのＸ−Ｘ断面図、図６は被覆層１０のみが除去される一定強度のエネルギーでレーザ照射を行った場合の平面図、図７はそのＹ−Ｙ断面図、図８は上部記録層２０の黒インキ層２１が除去される一定強度のエネルギーでレーザ照射を行った場合の平面図、図９はそのＺ−Ｚ断面図である。
【００１５】
図１、図２に示すように、本発明の記録シート１は、シート基材４０の表面に下部記録層３０、上部記録層２０、被覆層１０を順次重ねて印刷インキにより印刷したものである。
【００１６】
シート基材４０は、一般にプリンタや印刷機などで使用される紙製の基材が用いられる。その他にもプラスチックフィルム、金属箔などを構成材料とする１ないしは２以上の素材で構成された基材を用いることができる。
【００１７】
下部記録層３０は、表面に露呈した際に文字や記号などの印字を形成する黒インキ層３１と白インキ層３２とで構成されており、これらが交互平行にシート基材４０の表面に印刷され、一枚の層を形成している。ここで、黒インキ層３１と白インキ層３２の印刷幅は、印字の大きさに限定されず自由に設定可能であるが、最小幅はレーザ照射装置の照射位置精度が限界となる。
【００１８】
上部記録層２０は、前記黒インキ層３１の上に、それよりはやや狭幅の白インキ層２２を黒インキ層３１の幅方向の端部を覆わないようにして重ねて印刷すると共に、それらの間に黒インキ層２１を重ねて印刷し、一枚の層を形成したものである。したがって図２の横断面図を見れば、黒インキ層３１と黒インキ層２１とは両端部で一部重なった状態となっている。この重なり幅はレーザ照射装置の照射位置精度以上であれば、必要に応じて設定可能である。なお、上部記録層２０は、下地となる下部記録層３０の構成が明らかとならないように、下部記録層３０を隠蔽するのに十分な色濃度および厚みで設けられている。
【００１９】
さらに上部記録層２０の表面には白インキにより被覆層１０が印刷されているが、この被覆層１０も、下地となる上部記録層２０の構成が明らかとならないように、上部記録層２０を隠蔽するのに十分な色濃度および厚みで設けられている。また、被覆層１０は上部記録層２０を全面的に覆う形で設けることが好ましいが、上部記録層２０の黒インキ層２１と白インキ層２２の印刷形状や相互間の位置が特定できないように形成されていれば、必ずしも上部記録層２０を全面的に覆っている必要はない。
【００２０】
以上説明した構成の記録シート１は、図３に示したように裏面の非印字面に粘着剤２を塗布し、さらにこの粘着剤２を介して剥離台紙３に仮着し、繰り出し可能なロール状態でコア芯４に対して巻回しても良い。この図においては、剥離台紙３の裏面に、レーザマーキング装置の印字位置を決める印字ピッチ検出マーク５や、記録シートの印字位置に対応したレーザ光の照射エネルギーに関する情報（以下、印字情報と称す）を入力したバーコードや二次元コードなどの記号６が印刷されているが、これらの印字ピッチ検出マーク５や記号６は、外から見える状態であれば記録シート１の印字面や非印字面に形成されていても良い。また、シート基材４０がＲＦＩＤ方式のカードであれば、前記印字の際に必要となる各種情報をＩＣチップに記録しておくことも可能である。
【００２１】
ここで、印字情報としては、印字の開始位置および終了位置、黒インキ層２１、３１および白インキ層２２、３２の位置、印刷の厚み、材質、印字に必要なエネルギー、印字を行うレーザマーキング装置の種類などがあげられる。これらの印字情報を上記のようにして記録シート１に付加しておけば、後述の方法に基づいてレーザ照射を行う場合に、レーザ照射条件を誤ることなく印字が行えて好適である。しかも印字後に、例えば剥離台紙３などと共に切り離しを行ったり、あるいはレーザ光を照射して削除するなどにより、これらの印字情報を記録シート１から消去してしまえば、さらに偽造や改ざんが困難となる。
【００２２】
次に、上記構成による記録シート１の使用方法について説明する。
まず、記録シート１をレーザマーキング装置（図示せず）の用紙取り付け装置に取り付ける。ここで用いられるレーザマーキング装置は、レーザ光の照射エネルギーおよびスポット径が制御可能となっており、また用紙搬送装置や照射ヘッドの駆動装置などにより照射ヘッドが照射面を精密移動し、レーザ照射を行うことが可能となっている。
【００２３】
次に、記録シート１にレーザ光を照射して印字を形成する方法を詳述する。本実施の形態は矢印「↑」を印字する場合を例示したものである。ここで、矢印「↑」を印字するために必要となる照射エネルギーは、記録シート１のレーザ照射位置により異なる。すなわち、印字を行うためのレーザ照射位置が被覆層１０の白インキ層２２に接する位置にある場合には、被覆層１０および白インキ層２２の両層を除去し、黒イン
キ層３１が露呈するように調整した照射エネルギーのレーザ光を照射することにより印字を行う。一方、レーザ照射位置が被覆層１０の黒インキ層２１に接する位置にある場合には、被覆層１０を除去し、黒インキ層２１が露呈するように調整された照射エネルギーのレーザ光を照射することにより印字を行う。このようにして、印字位置の下層に設けられた記録層２０、３０から、黒インキ層２１、３１を選択的に露呈させる。
その結果は図４と図５に示すとおりであり、記録シート１の表面には黒インキ層２１、３１が露呈して矢印「↑」が黒く表示された印字記録シート１００が得られる。以上の印字は、印字情報を記録シート１に設けた記号６から引き出し、これをレーザ照射装置に入力して行うことで達成される。
【００２４】
一方、上記のような印字情報を持たず、照射エネルギーを変えないで記録シート１に印字を行った場合を説明する。図６及び図７は、被覆層１０のみを除去可能な一定レベルの照射エネルギーで、記録シート１の被覆層１０の上から矢印「↑」の形状にレーザ照射した場合を示したものである。すなわち、レーザ光により記録シート１の被覆層１０が除去され、上部記録層２０の黒インキ層２１と白インキ層２２が露呈した印字記録シート２００が得られるが、全体の印字は白と黒の縞模様となり、適正な印字とはならない。仮に追記がこのような状態で行われれば、印字を見ただけで追記したことが一目瞭然である。
【００２５】
次に、上記の場合よりも、さらに強力かつ一定の照射エネルギーで印字した場合を説明する。この場合には、被覆層１０に加えて上部記録層２０の除去も進む。一般に記録シート１に使用している素材が異なればエネルギー吸収力も異なるので、一定エネルギーのレーザ光を照射してもインキに使用している素材によって除去されるインキ層の深さは異なる。通常、黒インキ層２１、３１にはカーボンブラックなどの黒色顔料が含まれ、白インキ層２２、３２には酸化チタンなどの白色顔料が含まれており、その他の条件が同じであればカーボンブラックを含む黒インキ層２１、３１の方がレーザ光を吸収し易いので、同じ照射エネルギーで行えばより深い印字となる。図８と図９は、黒インキ層２１が完全に除去される照射エネルギーで矢印「↑」を印字した場合の印字記録シート３００を示したものである。この場合、黒インキよりもエネルギーの吸収力が小さい白インキ層２２は途中までしか除去されないので、黒インキ層３１の一部のみが黒く露呈した印字が得られる。その結果、追記したことが一目瞭然である。
【００２６】
上記よりもさらに強い照射エネルギーを与えた場合も、図示しないが、全体が黒い印字とはならず、追記したことが一目瞭然である。
【００２７】
以上のように、一定の照射エネルギーのレーザ光で記録シート１に印字を行うのでは、偶然であっても適正な印字が得られないことは明らかである。適正な印字を行うためには黒インキ層２１、３１と白インキ層２２、３２の位置情報が不可欠であるが、被覆層１０からは上部記録層２０や下部記録層３０の印刷パターンは見えないので、レーザマーキング用記録シート１を見ただけでは、上部記録層２０に設けた印字部２１や背景形成層２２の位置を推定するのは困難である。
【００２８】
上述のように、本発明のレーザマーキング用記録シート１およびその使用方法によれば、印字の消去による改ざんだけでなく、印字の追加による改ざんも防止可能となる。特に製品のロット毎に黒インキ層２１、３１と白インキ層２２、３２の印刷パターンを変更すれば、偽造や改ざんはほとんど不可能である。印刷パターンはこれに限らず、例えば社名ロゴなども選定可能である。
【００２９】
なお、この黒インキ層２１、３１と白インキ層２２、３２の色の組み合わせに関しては特に制限はなく、相互に識別が可能であれば多様な色の組み合わせが選定可能である。さらに、黒インキ層２１、３１、白インキ層２２、３２にレーザ光吸収力の高い材料や隠蔽性の高い材料を配合し、レーザ光の吸収力を調整することも可能である。もちろん、被覆層１０、上部記録層２０、下部記録層３０は、本実施例で例示した印刷インキに限らず、熱転写インキやトナーなどで形成されていてもよく、合成樹脂フィルムを貼り合せることにより形成されていてもよい。また、隠蔽性を高めるために、被覆層１０、上部記録層２０、下部記録層３０の各層間のいずれかあるいは全てに対して、アルミニウムなどによる蒸着層を設けてもよい。
【００３０】
【発明の効果】
以上説明したように、本発明に係るレーザマーキング用記録シートによれば、印字位置に応じてレーザ照射光の照射エネルギーを調整しないと適正な印字が行えないように構成されているので、第三者による書類の偽造や改ざんは困難である。また、不適正な印字を行えば痕跡が残るので、偽造や改ざんを試みたことが容易に判別可能である。さらに、本発明に係るレーザマーキング用記録シートの使用方法によれば、印字位置に応じて黒インキ層が露呈するようにレーザ照射光の照射エネルギーを調整して印字を行うようにしたので、本発明のレーザマーキング用記録シートに対して適正な印字が行える。
【図面の簡単な説明】
【図１】本発明の実施の形態によるレーザマーキング用記録シート１の構成を示す分解斜視図である。
【図２】その横断面図である。
【図３】粘着加工して剥離台紙３に仮着し、ロール状に形成した状態を示す斜視図である。
【図４】本発明の方法により黒インキ層２１、３１が露呈するようにレーザ照射を行った場合の平面図である。
【図５】そのＸ−Ｘ断面図である。
【図６】被覆層１０のみが除去される一定強度のエネルギーでレーザ照射を行った場合の平面図である。
【図７】そのＹ−Ｙ断面図である。
【図８】上部記録層の黒インキ層２１が除去される一定強度のエネルギーでレーザ照射を行った場合の平面図である。
【図９】そのＺ−Ｚ断面図である。
【符号の説明】
１　レーザマーキング用記録シート
２　粘着剤
３　剥離台紙
４　コア芯
５　印字ピッチ検出マーク
６　記号
１０　被覆層
２０　上部記録層
２１、３１　黒インキ層
２２、３２　白インキ層
３０　下部記録層
４０　シート基材
１００、２００、３００　印字記録シート
【図１】
2004090451.tif 000003
【図２】
2004090451.tif 000004
【図３】
2004090451.tif 000005
【図４】
2004090451.tif 000006
【図５】
2004090451.tif 000007
【図６】
2004090451.tif 000008
【図７】
2004090451.tif 000009
【図８】
2004090451.tif 000010
【図９】
2004090451.tif 000011